(57)【要約】チューナのオシレータ段の中のバイポーラトランジスタ（Tr）は、該トランジスタ(Tr)のベースと、該トランジスタ(Tr)のエミッタが結合される基準電圧との間に結合される抵抗器（R11）と直列のダイオード(D10)を具備する。前記ダイオード(D10)は、供給電圧(Vs)から直接的に生じるコレクタにおける供給リップル(Vr2)をより良く補償するように、前記ベースから生じる前記コレクタにおける供給電圧リップル(Vr1)を低減させる低減された抵抗器(R11)の値を可能にする。
2004527983.tif 000002
【特許請求の範囲】
【請求項１】
チューナ・オシレータ段は、
制御電極と主電流路の２つの電極とを持つトランジスタ、
前記制御電極と第１端子との間に結合されている第１インピーダンス、
前記制御電極と第２端子との間に結合されている第２インピーダンス、
前記主電流路の２つの電極のうちの１つと前記第２端子との間に結合されている第３インピーダンス、及び
前記第２インピーダンスと直列に配設されており、交流電流に対する低いインピーダンスと直流電流に対する良好に規定された電圧降下とを持つ素子を有し、前記第１端子及び前記第２端子が電源電圧を受けるよう構成されているチューナ・オシレータ段。
【請求項２】
前記トランジスタが、ベース、コレクタ及びエミッタを持つバイポーラトランジスタであり、前記第１インピーダンスが、前記ベースと前記第１端子との間に結合されており、前記第２インピーダンスが、前記ベースと前記第２端子との間に結合されており、コレクタインピーダンスが、前記コレクタと第３端子との間に結合されており、前記第３インピーダンスが、前記エミッタと前記第２端子との間に結合されており、前記素子が前記第２インピーダンスと直列に配設されていることを特徴とする請求項１に記載のチューナ・オシレータ段。
【請求項３】
前記素子が、動作中に導通するよう配極されるダイオードを有することを特徴とする請求項１又は２に記載のチューナ・オシレータ段。
【請求項４】
請求項１に記載のチューナ・オシレータ段を有するチューナ。
【請求項５】
請求項４に記載のチューナを有する電子装置。
【発明の詳細な説明】
【技術分野】
【０００１】
本発明は、チューナ・オシレータ段(tuner oscillator stage)と、このような段を有するチューナと、このようなチューナを有する電子装置とに関する。
【背景技術】
【０００２】
電源電圧リップル除去は、よく知られているＲＣローパスフィルタで行なわれ得る。抵抗器は、電源電圧ラインのうちの１つと直列に設けられ、コンデンサは、負荷が接続される両電源ラインの間に接続される。コンデンサは、負荷に供給される供給電圧を平滑化する。ＲＣ回路のフィルタリング動作は、抵抗器とコンデンサとの両方の値を増大させることにより改善する。しかしながら、高すぎる値の抵抗器は、抵抗器の両端間の大きすぎる電圧降下をもたらし、これは、高すぎる電力損失(dissipation)及び負荷の両端間の低すぎる電圧を招くことから、フィルタリングの量は制限される。大きな値のコンデンサは、大きすぎる且つ／又は高価すぎるコンデンサをもたらす。
【発明の開示】
【発明が解決しようとする課題】
【０００３】
本発明の目的は、改善された供給電圧リップル抑制を備えるチューナ・オシレータ段を提供することにある。
【課題を解決するための手段】
【０００４】
この目的のため、本発明の第１の態様は、請求項１において規定されているようなチューナ・オシレータ段を供給する。本発明の第２の態様は、請求項４において規定されているようなチューナを供給する。本発明の第３の態様は、請求項５において規定されているような電子装置を供給する。有利な実施例は、従属項において規定されている。
【０００５】
チューナ・オシレータ段は、制御電極と主電流路の２つの電極とを持つトランジスタを有する。電源電圧は第１端子と第２端子との間にある。第１インピーダンスは、前記制御電極と前記第１端子との間に結合される。交流電流に対する低いインピーダンス及び直流電流に対する良好に規定された電圧降下を持つ素子と第２インピーダンスとの直列接続は、前記制御電極と前記第２端子との間に結合される。（幾つかの素子を有する回路であっても良い）前記素子は、前記トランジスタの直流駆動を妨害することなしに、制御端子における供給電圧リップルから生じるコレクタにおける供給電圧リップルを低減させる前記第２インピーダンスの低減された値を可能にする。このようにして、前記供給電圧から直接的に生じる前記コレクタにおける供給リップルはより良く補償される。
【０００６】
好ましい実施例において、前記素子は、導電性があるよう配極(pole)されるダイオードである。
【０００７】
本発明のこれら及び他の特徴は、下記の実施例を参照して説明され、明らかにされる。
【発明を実施するための最良の形態】
【０００８】
図１は、典型的な従来技術のオシレータ・タンク回路(oscillator tank circuit)を示している。
【０００９】
ＴＶ受像機におけるリップルの感受性は、電源電圧に重ねられる20Hzから500kHzまでの正弦波信号のピークピーク値として規定され、受像機のＩＦフィルタのナイキスト勾配(Nyquist slope)通過後のピクチャ搬送波(picture carrier)における0.28%の変調度(modulation depth)での振幅変調をもたらす。
【００１０】
図１は、バイポーラトランジスタBJT1と、エミッタ抵抗器Reと、コイルL1、コンデンサC1、並びに静電容量値が当該バリキャップダイオードD1の両端間の電圧に依存するバリキャップダイオードD1と一緒のコンデンサC2及びC3を有する共振回路とを備える典型的なオシレータ回路を示している。供給電圧リップルは、２つの経路を介して取り入れられる。電源電圧Vsにおけるリップルは、コレクタ抵抗器Rcを介してトランジスタBJT1のコレクタ上に存在するであろう。帯域切換電源電圧(band-switch power supply voltage)Vbs1におけるリップルは、抵抗器Rb及びコンデンサCbを有するローパスフィルタで減衰されるであろう。供給電圧Vbs1から生じるリップルは、高い値を持つ抵抗器Rbを用いることにより容易に抑制されることができ、前記抵抗器Rbは、トランジスタBJTのベースへの電流が非常に小さいことから、この抵抗器Rbの両端間の大きすぎる電圧降下を招かない。電源電圧Vsにおけるリップルは、直接的にコレクタ上に存在し、従って、十分にフィルタをかけられなければならず、これは、大きな且つ／又は高価なコンデンサ（図示せず）のもととなる。なぜなら、大きい値の抵抗器Rcは、抵抗器Rcを通る相対的に大きな電流のために可能ではないからである。チューナにおいて、大きなコンデンサは、空間が利用可能ではないことから問題を引き起こし、故に非常に高価なタンタルコンデンサが必要される。
【００１１】
図２は、典型的な従来技術の直列のミキサ及びオシレータの設計を示している。図２のオシレータ回路は、図１において示されているオシレータ回路と略々同一であり、同じ素子は同じ参照符号によって示されている。唯一の相違点は、コレクタ抵抗器RcがインピーダンスL2に置き換えられていることにある。ミキサは、抵抗器R1を介して帯域切換電源電圧Vbs2に接続されるベースを備えるトランジスタBJT2を有する。抵抗器R1と一緒のフィルタコンデンサC4は、トランジスタBJT2のベースにおける電源リップルを抑制するために帯域切換電圧Vbs2にフィルタをかける。トランジスタBJT2のコレクタは、抵抗器R2を介して電源電圧Vsに接続される。抵抗器R2と一緒のコンデンサC5は、トランジスタBJT2のコレクタにおける電源リップルを抑制するために電源電圧Vsにフィルタをかける。抵抗器R3は、ミキサ段Mの直流の挙動を改善する。
【００１２】
ミキサ段Mは、ミキサの機能とリップル除去器の機能との両方を持つ。
【００１３】
図３は、本発明の実施例による単純化されたオシレータ回路を示している。
【００１４】
図１のオシレータ回路並びに図２のオシレータ及びミキサの回路において、電源電圧Vsの抑制は、大きな且つ／又は高価なコンデンサを必要とする。この問題は、低い電源電圧Vs（例えば５ボルト）を持つ近年のチューナにおいてはよりきびしくなる。低い電源電圧Vsは、フィルタ抵抗器の両端間の電圧降下が非常に小さいことを必要とし、極端に大きな又は高価な平滑化コンデンサを必要とする。図２に示されているミキサ及びオシレータの直列接続は、ミキサトランジスタBJT2の両端間の電圧降下のために、オシレータに利用可能な電圧が減少するという他の不利な点を持つ。これはまた、低い電源電圧Vsにおいてきびしい問題になる。
【００１５】
本発明は、コレクタにおける総合リップルに影響を及ぼすものは、ベースを介してもたらされるリップルと、コレクタに結合される供給電圧によりもたらされるコレクタにおけるリップルとの合計であり、ここで、これらの２つのリップルの寄与は反対の符号(opposite signs)を持ち、斯くして、互いに補償し得るという認識に基づく。ベースにおけるリップルとコレクタにおけるリップルとの両方を可能な限り抑制する従来技術のアプローチは、最適な補償をもたらさないであろう。
【００１６】
トランジスタTrは、抵抗器R10を介して（帯域切換電圧であっても良い）電源電圧Vbsに接続されるベースを持つ。ダイオードD10及び抵抗器R11の直列接続は、ベースと接地Gとの間に接続される。トランジスタTrのコレクタは、インピーダンスZcを介して電源電圧Vsに接続され、このトランジスタのエミッタは、抵抗器R12を介して接地に接続される。Voであるコレクタにおける電圧は、直流部分Vodcとリップル成分Vorとを有する。
【００１７】
電源電圧VbsにおけるリップルがVr1であり、電源電圧VsにおけるリップルがVr2である場合には、コレクタにおけるリップル電圧Vorは、
【数１】
2004527983.tif 000003
となる。
【００１８】
ダイオードD10がない場合には、オシレータの所要の直流動作のために、抵抗器R11は、通常、ベースから生じるリップルを電源電圧Vsから生じるリップルよりずっと大きくさせる値（例えば2.7キロオーム）を持つ（図４Ａ参照）。
【００１９】
ダイオードD10がある場合には、抵抗器R11の値は、実質的に同じ直流動作を維持しながら低減され得る。この場合、ベースから生じるコレクタリップル電圧Vorに対するリップル寄与は減少し、より良好な補償が達成される（図４Ｂ参照）。
【００２０】
図４は、図２及び３の単純化されたオシレータ回路において生じる信号の波形を示している。図４Ａ及び４Ｂは、各々ダイオードD10がない場合及びある場合の、左図においては、リップル電圧Vr1（太線）及びVr2（破線）を表わす波形を、右図においては、結果として生じるリップル電圧Vorを表わす波形を示している。
【００２１】
上記の実施例は、本発明を限定しているわけではなく、例示しているだけであり、当業者は、添付されている特許請求の範囲から外れることなしに多くの別の実施例を設計することが出来るであろうことに注意されたい。例えば、図示されているnpnトランジスタの代わりにpnpトランジスタを用いることも可能である。接地電位に結合されるコレクタ及び負電位に結合されるエミッタを持つことは可能である。
【００２２】
特許請求の範囲においては、括弧内に配置されている如何なる参照符号も、特許請求の範囲を限定するものとして解釈されるべきではない。「有する」という動詞及びその語形変化は、特許請求の範囲に記載されている要素又はステップ以外の要素又はステップの存在を除外しない。本発明は、幾つかの別個の素子を有するハードウェアによって実施されることができ、適当にプログラムされたコンピュータによって実施されることが出来る。幾つかの手段を列挙している装置クレームにおいては、これらの手段のうちの幾つかはハードウェアの同一アイテムによって実施され得る。
【図面の簡単な説明】
【００２３】
【図１】典型的な従来技術のオシレータ・タンク回路を示す。
【図２】典型的な従来技術の直列のミキサ及びオシレータの設計を示す。
【図３】本発明の実施例による単純化されたオシレータ回路を示す。
【図４Ａ】図２の単純化されたオシレータ回路において生じる信号の波形を示す。
【図４Ｂ】図３の単純化されたオシレータ回路において生じる信号の波形を示す。
【国際公開パンフレット】
2004527983.tif 000004
2004527983.tif 000005
2004527983.tif 000006
2004527983.tif 000007
2004527983.tif 000008
2004527983.tif 000009
2004527983.tif 000010
2004527983.tif 000011
2004527983.tif 000012
【国際公開パンフレット（コレクトバージョン）】
2004527983.tif 000013
【国際調査報告】
2004527983.tif 000014
2004527983.tif 000015